(57)【要約】      （修正有）【課題】締結具の締付力が低下し難いエンジンの排気装置を提供する。【解決手段】エンジンの排気装置は、鉄系金属の排気通路構成部品１と、排気通路構成部品１を他の部品と締結する締結具２を備え、排気通路構成部品１が、締結具２の締付力を受け止める受圧面１ａを備え、排気通路構成部品１の受圧面１ａに四酸化三鉄の酸化皮膜１ｂが形成されている。受圧面１ａ以外の排気通路構成部品１の外面１ｃにも、四酸化三鉄の酸化皮膜１ｂが形成されている。排気通路構成部品１の内面１ｄにも、四酸化三鉄の酸化皮膜１ｂが形成されている。【選択図】図１
2020183748.tif 000002
【特許請求の範囲】
【請求項１】
鉄系金属の排気通路構成部品(１)と、排気通路構成部品(１)を他の部品と締結する締結具(２)を備え、排気通路構成部品(１)が、締結具(２)の締付力を受け止める受圧面(１ａ)を備えた、エンジンの排気装置において、
排気通路構成部品(１)の受圧面(１ａ)に四酸化三鉄の酸化皮膜(１ｂ)が形成されている、ことを特徴とするエンジンの排気装置。
【請求項２】
請求項１に記載されたエンジンにおいて、
受圧面(１ａ)以外の排気通路構成部品(１)の外面(１ｃ)にも、四酸化三鉄の酸化皮膜(１ｂ)が形成されている、ことを特徴とするエンジンの排気装置。
【請求項３】
請求項１または請求項２に記載されたエンジンにおいて、
排気通路構成部品(１)の内面(１ｄ)にも、四酸化三鉄の酸化皮膜(１ｂ)が形成されている、ことを特徴とするエンジンの排気装置。
【請求項４】
請求項１から請求項３のいずれかに記載されたエンジンの排気装置において、
排気通路構成部品(１)が排気マニホルド(３)である、ことを特徴とするエンジンの排気装置。
【請求項５】
請求項１から請求項３のいずれかに記載されたエンジンの排気装置において、
排気通路構成部品(１)が過給機(４)の排気タービンハウジング(４ａ)である、ことを特徴とするエンジンの排気装置。
【請求項６】
請求項１から請求項３のいずれかに記載されたエンジンの排気装置において、
排気通路構成部品(１)が排気中継管(５)である、ことを特徴とするエンジンの排気装置。
【請求項７】
請求項１から請求項６のいずれかに記載されたエンジンの排気装置において、
四酸化三鉄の酸化皮膜(１ｂ)の膜厚が５μｍ〜１１μｍとされている、ことを特徴とするエンジンの排気装置。
【請求項８】
請求項１から請求項７のいずれかに記載されたエンジンの排気装置において、
四酸化三鉄の酸化皮膜(１ｂ)が窒素化合物層の表面に形成されている、ことを特徴とするエンジンの排気装置。
【請求項９】
請求項１から請求項６のいずれかに記載されたエンジンの排気装置において、
四酸化三鉄の酸化皮膜(１ｂ)の膜厚が１１μｍを超え、２０μｍ以下とされている、ことを特徴とするエンジンの排気装置。
【請求項１０】
請求項９に記載されたエンジンの排気装置において、
四酸化三鉄の酸化皮膜(１ｂ)が窒素化合物層の表面に形成されている、ことを特徴とするエンジンの排気装置。
【発明の詳細な説明】
【技術分野】
【０００１】
本発明は、エンジンの排気装置に関し、詳しくは、締結具の締付力が低下し難いエンジンの排気装置に関する。
【背景技術】
【０００２】
従来、エンジンの排気装置として、鉄系金属の排気通路構成部品を備え、排気通路構成部品が耐熱性の防錆樹脂皮膜で被覆されたものがある(例えば、特許文献１参照)。
【先行技術文献】
【特許文献】
【０００３】
【特許文献１】特公平６−３９５８２号公報
【発明の概要】
【発明が解決しようとする課題】
【０００４】
《問題点》  締結具の締付力が大きく低下するおそれがある。
この種のエンジンの排気装置では、排気通路構成部品での排気熱による赤錆の発生を防錆樹脂皮膜で防止することができるが、排気通路構成部品を他の部品と締結する場合、締結具の締付力を受け止める受圧面が防錆樹脂皮膜で被覆されていると、防錆樹脂皮膜の塑性変形で締結具の締付力が大きく低下するおそれがある。
【０００５】
本発明の課題は、締結具の締付力が低下し難いエンジンの排気装置を提供することにある。
【課題を解決するための手段】
【０００６】
本願のエンジンの排気装置の発明は、図１(Ｂ)〜(Ｆ)に例示するように、鉄系金属の排気通路構成部品(１)と、排気通路構成部品(１)を他の部品と締結する締結具(２)を備え、排気通路構成部品(１)が、締結具(２)の締付力を受け止める受圧面(１ａ)を備えた、エンジンの排気装置において、
図１(Ｂ)〜(Ｆ)，図４(Ａ)〜(Ｅ)，図５(Ａ)〜(Ｅ)に例示するように、排気通路構成部品(１)の受圧面(１ａ)に四酸化三鉄の酸化皮膜(１ｂ)が形成されていることを特徴とする。
【発明の効果】
【０００７】
本願のエンジンの排気装置の発明によれば、次の効果が得られる。
防錆樹脂皮膜に比べ、四酸化三鉄の酸化皮膜(１ｂ)は塑性変形し難く、締結具(２)の締付力が低下し難い。また、四酸化三鉄の酸化皮膜(１ｂ)の防錆作用で、排気通路構成部品(１)の受圧面(１ａ)での排気熱による赤錆の発生が防止される。
【図面の簡単な説明】
【０００８】
【図１】本発明の実施形態に係るエンジンの要部を説明する図で、図１(Ａ)はエンジンの要部側面図、図１(Ｂ)は図１(Ａ)のＢ−Ｂ線断面拡大図、図１(Ｃ)は図１(Ａ)のＣ−Ｃ線断面拡大図、図１(Ｄ)は図１(Ａ)のＤ−Ｄ線断面拡大図、図１(Ｅ)は図１(Ａ)のＥ−Ｅ線断面拡大図、図１(Ｆ)は図１(Ａ)のＦ−Ｆ線断面拡大図である。
【図２】図１のエンジンの側面図である。
【図３】図１のエンジンの正面図である。
【図４】図１のエンジンで用いる排気マニホルドを説明する図で、図４(Ａ)は側面図、図４(Ｂ)は図４(Ａ)のＢ方向矢視図、図４(Ｃ)は図４(Ａ)のＣ方向矢視図、図４(Ｄ)は図４(Ａ)のＤ方向矢視図、図４(Ｅ)は図４(Ｃ)のＥ方向矢視図である。
【図５】図１のエンジンで用いる排気中継管を説明する図で、図５(Ａ)は側面図、図５(Ｂ)は図５(Ａ)のＢ方向矢視図、図５(Ｃ)は図５(Ａ)のＣ方向矢視図、図５(Ｄ)は図５(Ａ)のＤ方向矢視図、図５(Ｅ)は図５(Ｃ)のＥ方向矢視図である。
【発明を実施するための形態】
【０００９】
図１〜図５は、本発明の実施形態に係る排気装置を備えたエンジンを説明する図である。
この実施形態では、立形水冷式の直列多気筒ディーゼルエンジンについて説明する。
【００１０】
図２，３に示すように、このエンジンは、シリンダブロック(７)と、シリンダブロック(７)の上部に組み付けられたシリンダヘッド(６)と、シリンダヘッド(６)の上部に組み付けられたシリンダヘッドカバー(８)と、クランク軸(９)の架設方向を前後方向として、シリンダブロック(７)の前部に組み付けられたフロントカバー(１０)と、シリンダヘッド(６)の前方に配置されたエンジン冷却ファン(１１)と、シリンダブロック(７)の後方に配置されたフライホイール(１２)と、シリンダブロック(７)の下部に組み付けられたオイルパン(１３)を備えている。
クランク軸(９)は、スタータモータ(２２)でクランキングされる。エンジン冷却ファン(１１)はクランク軸(９)からベルト伝動装置(１９)を介して駆動される。フロントカバー(１０)にはオイルクーラ(２０)を介してオイルフィルタ(２１)が取り付けられている。
このエンジンは、吸気装置と燃料供給装置と排気装置を備えている。
【００１１】
図２，３に示すように、吸気装置は、吸気パイプ(１４)と、過給機(４)のエアコンプレッサハウジング(４ｉ)と、過給パイプ(１５)と、吸気マニホルド(１６)を備え、シリンダブロック(７)内のシリンダ(図示せず)に吸気を供給する。エアコンプレッサハウジング(４ｉ)にはコンプレッサホイール(図示せず)が収容されている。前後方向と直交するエンジンの幅方向を横方向として、図３に示すように、吸気マニホルド(１６)は、シリンダヘッド(６)の横一側に配置されている。
【００１２】
図３に示すように、燃料供給装置は、吸気マニホルド(１６)が配置されたエンジンの横一側に配置され、燃料噴射ポンプ(１７)と、燃料噴射管(１８)と、燃料噴射弁(図示せず)を備え、シリンダに燃料を供給する。
図２に示すように、排気装置は、排気マニホルド(３)と、過給機(４)の排気タービンハウジング(４ａ)と、排気中継管(５)を備え、シリンダから排気を排出する。排気タービンハウジング(４ａ)にはタービンホイール(図示せず)が収容されている。図３に示すように、排気マニホルド(３)は、吸気マニホルド(１６)が配置された横一側とは反対側のシリンダヘッド(６)の横他側に取り付けられている。
【００１３】
図２に示す排気中継管(５)の排気下流側には、排気マフラまたは排気ダクトが接続されるが、排気後処理装置(図示せず)を接続してもよい。排気後処理装置は、後処理ケース内の排気上流側にＤＯＣが収容され、排気下流側にＤＰＦが収容される。ＤＯＣはディーゼル酸化触媒の略称、ＤＰＦはディーゼル・パティキュレート・フィルタの略称である。
【００１４】
図１(Ｂ)〜(Ｆ)，図４(Ａ)〜(Ｅ)，図５(Ａ)〜(Ｅ)に示すように、排気装置は、鉄系金属の排気通路構成部品(１)と、排気通路構成部品(１)を他の部品と締結する締結具(２)を備え、排気通路構成部品(１)が、締結具(２)の締付力を受け止める受圧面(１ａ)を備えている。
排気通路構成部品(１)の具体例については、後述する。
【００１５】
図１(Ｂ)〜(Ｆ)に示すように、排気通路構成部品(１)の受圧面(１ａ)に四酸化三鉄の酸化皮膜(１ｂ)が形成されている。
このため、この排気装置では、次の効果が得られる。
すなわち、防錆樹脂皮膜に比べ、四酸化三鉄の酸化皮膜(１ｂ)は塑性変形し難く、締結具(２)の締付力が低下し難い。
また、四酸化三鉄の酸化皮膜(１ｂ)の防錆作用で、排気通路構成部品(１)の受圧面(１ａ)での排気熱による赤錆の発生が防止される。
【００１６】
図１(Ｂ)〜(Ｆ)，図４(Ａ)，図５(Ａ)に示すように、受圧面(１ａ)以外の排気通路構成部品(１)の外面(１ｃ)にも、四酸化三鉄の酸化皮膜(１ｂ)が形成されている。
このため、この排気装置では、次の効果が得られる。
すなわち、防錆樹脂皮膜に比べ、四酸化三鉄の酸化皮膜(１ｂ)は耐熱性に優れ、排気通路構成部品(１)の外面(１ｃ)でのひび割れや変色が起こり難い。
また、四酸化三鉄の酸化皮膜(１ｂ)で、受圧面(１ａ)を除く排気通路構成部品(１)の外面(１ｃ)での排気熱による赤錆の発生も防止される。
【００１７】
図４(Ａ)(Ｂ)(Ｅ)，図５(Ｂ)〜(Ｄ)に示すように、排気通路構成部品(１)の内面(１ｄ)にも、四酸化三鉄の酸化皮膜(１ｂ)が形成されている。
このため、この排気装置では、次の効果が得られる。
すなわち、四酸化三鉄の酸化皮膜(１ｂ)で、排気通路構成部品(１)の内面(１ｄ)での排気熱による赤錆の発生も防止される。
【００１８】
この実施形態では、図１(Ａ)，図２，図４(Ａ)〜(Ｅ)に示すように、排気通路構成部品(１)の第１の具体例は、排気マニホルド(３)である。
このため、この排気装置では、次の効果が得られる。
すなわち、図１(Ｂ)(Ｄ)(Ｅ)に示す排気マニホルド(３)の受圧面(１ａ)で受け止められる締結具(２)の締付力が低下し難いため、この締結具(２)で締結される排気マニホルド(３)と他の部品(シリンダヘッド(６)や過給機(４)の排気タービンハウジング(４ａ)や排気中継管(５))との密着性が高く維持される。
【００１９】
図１(Ｂ)に示すように、排気マニホルド(３)の受圧面(１ａ)は、排気入口フランジ(３ａ)の表裏面に形成されている。排気入口フランジ(３ａ)は、シリンダヘッド(６)の横壁(６ａ)に締結具(２)で締結される。
この締結具(２)は頭付きボルト(２ａ)で、ボルト頭部(２ｂ)とオネジ部(２ｃ)を備え、オネジ部(２ｃ)が排気入口フランジ(３ａ)のボルト挿通孔(３ｂ)を貫通し、シリンダヘッド(６)の横壁(６ａ)のメネジ孔(６ｂ)にネジ嵌合され、ボルト頭部(２ｂ)とシリンダヘッド(６)との間に座金(２ｄ)や第１ガスケット(３ｃ)と共に排気入口フランジ(３ａ)が挟み付けられ、排気入口フランジ(３ａ)の表裏面に形成された受圧面(１ａ)に頭付きボルト(２ａ)の締付力がかかる。
この受圧面(１ａ)に、四酸化三鉄の酸化皮膜(１ｂ)が形成されている。
【００２０】
図１(Ｃ)に示すように、排気マニホルド(３)の受圧面(１ａ)は、排気出口フランジ(３ｄ)の上面にも形成されている。排気出口フランジ(３ｄ)には過給機(４)の排気タービンハウジング(４ａ)の排気入口フランジ(４ｂ)が締結具(２)で締結される。
この締結具(２)は植込ボルトナット(２ｅ)で、植込ボルト(２ｆ)とナット(２ｇ)を備え、植込ボルト(２ｆ)が排気マニホルド(３)の排気出口フランジ(３ｄ)のメネジ孔(３ｅ)にネジ嵌合され、この植込ボルト(２ｆ)が過給機(４)の排気タービンハウジング(４ａ)の排気入口フランジ(４ｂ)のボルト挿通孔(４ｃ)を貫通し、この植込ボルト(２ｆ)にナット(２ｇ)がネジ嵌合され、排気マニホルド(３)の排気出口フランジ(３ｄ)とナット(２ｇ)との間に座金(２ｄ)や第２ガスケット(４ｄ)と共に排気タービンハウジング(４ａ)の排気入口フランジ(４ｂ)が挟み付けられ、排気マニホルド(３)の排気出口フランジ(３ｄ)の上面に形成された受圧面(１ａ)に植込ボルトナット(２ｅ)の締付力がかかる。
この受圧面(１ａ)にも、四酸化三鉄の酸化皮膜(１ｂ)が形成されている。
【００２１】
この実施形態では、図１(Ａ)，図２に示すように、排気通路構成部品(１)の第２の具体例は、過給機(４)の排気タービンハウジング(４ａ)である。
このため、この排気装置では、次の効果が得られる。
すなわち、図１(Ｃ)(Ｄ)に示す排気タービンハウジング(４ａ)の受圧面(１ａ)で受け止められる締結具(２)の締付力が低下し難いため、この締結具(２)で締結される過給機(４)の排気タービンハウジング(４ａ)と他の部品(排気マニホルド(３)や排気中継管(５))との密封性が高く維持される。
【００２２】
図１(Ｃ)に示すように、排気タービンハウジング(４ａ)の受圧面(１ａ)は、排気入口フランジ(４ｂ)の上下表裏面に形成されている。前記の通り、排気入口フランジ(４ｂ)は、排気マニホルド(３)の排気出口フランジ(３ｄ)に植込ボルトナット(２ｅ)で締結される。
このため、排気タービンハウジング(４ａ)の排気入口フランジ(４ｂ)の上下表裏面に形成された受圧面(１ａ)に植込ボルトナット(２ｅ)の締付力がかかる。
この受圧面(１ａ)には、四酸化三鉄の酸化皮膜(１ｂ)が形成されている。
【００２３】
図１(Ｄ)に示すように、排気タービンハウジング(４ａ)の受圧面(１ａ)は、排気出口部(４ｅ)の後面にも形成されている。排気中継管(５)の排気入口フランジ(５ａ)は、排気タービンハウジング(４ａ)の排気出口部(４ｅ)に締結具(２)で締結される。
この締結具(２)は頭付きボルト(２ａ)で、ボルト頭部(２ｂ)とオネジ部(２ｃ)を備え、オネジ部(２ｃ)が排気中継管(５)の排気入口フランジ(５ａ)のボルト挿通孔(５ｂ)を貫通し、排気タービンハウジング(４ａ)の排気出口部(４ｅ)のメネジ孔(４ｆ)にネジ嵌合され、ボルト頭部(２ｂ)と、排気タービンハウジング(４ａ)の排気出口部(４ｅ)との間に座金(２ｄ)や第３ガスケット(４ｇ)と共に排気中継管(５)の排気入口フランジ(５ａ)が挟み付けられ、排気タービンハウジング(４ａ)の排気出口部(４ｅ)の後面に形成された受圧面(１ａ)に頭付きボルト(２ａ)の締付力がかかる。
この受圧面(１ａ)にも、四酸化三鉄の酸化皮膜(１ｂ)が形成されている。
【００２４】
この実施形態では、図１(Ａ)，図２に示すように、排気通路構成部品(１)の第３の具体例は、排気中継管(５)である。
このため、この排気装置では、次の効果が得られる。
すなわち、図１(Ｄ)〜(Ｆ)に示す排気中継管(５)の受圧面(１ａ)で受け止められる締結具(２)の締付力が低下し難いため、この締結具(２)で締結される排気中継管(５)と他の部品(排気タービンハウジング(４ａ)や排気マニホルド(３)や排気マフラや排気ダクト、或いは、排気後処理ケース)との密封性が高く維持される。
【００２５】
図１(Ｄ)に示すように、排気中継管(５)の受圧面(１ａ)は、排気入口フランジ(５ａ)の前後表裏面に形成されている。前記の通り、排気中継管(５)の排気入口フランジ(５ａ)は、排気タービンハウジング(４ａ)の排気出口部(４ｅ)に頭付きボルト(２ａ)で締結される。
このため、排気中継管(５)の排気入口フランジ(５ａ)の前後表裏面に形成された受圧面(１ａ)に頭付きボルト(２ａ)の締付力がかかる。
この受圧面(１ａ)にも、四酸化三鉄の酸化皮膜(１ｂ)が形成されている。
【００２６】
図１(Ｅ)に示すように、排気中継管(５)の受圧面(１ａ)は、取付フランジ(５ｃ)の上下表裏面にも形成されている。
排気中継管(５)の取付フランジ(５ｃ)は、排気マニホルド(３)の上側に配置された取付座(３ｆ)の上面に締結具(２)で締結される。
この締結具(２)は頭付きボルト(２ａ)で、ボルト頭部(２ｂ)とオネジ部(２ｃ)を備え、オネジ部(２ｃ)が排気中継管(５)の取付フランジ(５ｃ)のボルト挿通孔(５ｄ)を貫通し、排気マニホルド(３)の取付座(３ｆ)のメネジ孔(３ｇ)にネジ嵌合され、ボルト頭部(２ｂ)と、排気マニホルド(３)の取付座(３ｆ)との間に座金(２ｄ)と共に排気中継管(５)の取付フランジ(５ｃ)が挟み付けられ、排気マニホルド(３)の取付座(３ｆ)の上面に形成された受圧面(１ａ)に頭付きボルト(２ａ)の締付力がかかる。
この受圧面(１ａ)にも、四酸化三鉄の酸化皮膜(１ｂ)が形成されている。
【００２７】
図１(Ｆ)に示すように、排気中継管(５)の受圧面(１ａ)は、排気出口フランジ(５ｅ)の前後表裏面にも形成されている。排気出口フランジ(５ｅ)には、排気後処理ケースの排気入口フランジが排気出口フランジ(５ｅ)のボルト挿通孔(５ｆ)を貫通した締結具(図示しないが、ボルトナットが用いられる)で締結される。
このため、排気中継管(５)の排気出口フランジ(５ｅ)の前後表裏面に形成された受圧面(１ａ)に締結具の締付力がかかる。
この受圧面(１ａ)にも、四酸化三鉄の酸化皮膜(１ｂ)が形成されている。
【００２８】
図４(Ａ)〜(Ｅ)に示すように、排気マニホルド(３)は、前後方向に長いコレクタ部(３ｈ)と、コレクタ部(３ｈ)の横一側に配置された複数の排気入口フランジ(３ａ)と、コレクタ部(３ｈ)の上側に配置された単一の排気出口フランジ(３ｄ)と、コレクタ部(３ｈ)の後部上側に配置された取付座(３ｆ)を備え、これら各部の受圧面(１ａ)以外の外面(１ｃ)にも、四酸化三鉄の酸化皮膜(１ｂ)が形成されている。
コレクタ部(３ｈ)の内部の排気通路と、図４(Ａ)に示す排気入口フランジ(３ａ)のボルト挿通孔(３ｂ)と、図４(Ｂ)に示す排気出口フランジ(３ｄ)の排気出口(３ｊ)の各内面(１ｄ)にも、四酸化三鉄の酸化皮膜(１ｂ)が形成されている。
【００２９】
図１(Ａ)に示すように、過給機(４)の排気タービンハウジング(４ａ)は、ハウジング本体(４ｈ)と、ハウジング本体(４ｈ)の前側に配置された排気入口フランジ(４ｂ)と、ハウジング本体(４ｈ)の後側に配置された排気出口部(４ｅ)を備え、これら各部の受圧面(１ａ)以外の外面(１ｃ)にも、四酸化三鉄の酸化皮膜(１ｂ)が形成されている。
ハウジング本体(４ｈ)の排気通路と、排気入口フランジ(４ｂ)の排気入口(図示せず)と、排気出口部(４ｅ)の排気出口(図示せず)の各内面にも、四酸化三鉄の酸化皮膜が形成されている。
【００３０】
図５(Ａ)〜(Ｅ)に示すように、排気中継管(５)は、管部(５ｇ)と、管部(５ｇ)の前側に配置された排気入口フランジ(５ａ)と、管部(５ｇ)の後側に配置された排気出口フランジ(５ｅ)と、排気出口フランジ(５ｅ)の下側に配置された取付フランジ(５ｃ)を備え、これら各部の受圧面(１ａ)以外の外面(１ｃ)にも、四酸化三鉄の酸化皮膜(１ｂ)が形成されている。
管部(５ｇ)の内部の排気通路と、図５(Ｂ)に示す取付フランジ(５ｃ)のボルト挿通孔(５ｄ)と、図５(Ｃ)に示す排気入口フランジ(５ａ)の排気入口(５ｈ)及びボルト挿通孔(５ｂ)と、図５(Ｃ)に示す排気出口フランジ(５ｅ)の排気出口(５ｉ)及びボルト挿通孔(５ｆ)の各内面(１ｄ)にも、四酸化三鉄の酸化皮膜(１ｂ)が形成されている。
【００３１】
四酸化三鉄の酸化皮膜(１ｂ)の膜厚は、５μｍ〜１１μｍとされていることが望ましい。
この場合、次の効果が得られる。
酸化皮膜(１ｂ)の膜厚が５μｍ未満では、赤錆に対する酸化皮膜(１ｂ)の防錆機能が不十分で、１１μｍを超えると、酸化皮膜(１ｂ)を形成するための処理時間が長時間又は処理温度が高温となるのに対し、５μｍ〜１１μｍでは、赤錆に対する酸化皮膜(１ｂ)の防錆作用が十分で、処理時間が短時間又は処理温度が低温で済む。
鉄系金属の排気通路構成部品(１)の表面に四酸化三鉄の酸化皮膜(１ｂ)を形成するには、鉄系金属の排気通路構成部品(１)を水蒸気雰囲気下で、水蒸気皮膜処理する。
【００３２】
四酸化三鉄の酸化皮膜(１ｂ)の膜厚は、１１μｍを超え、２０μｍ以下であってもよい。
その理由は、次の通りである。
高負荷運転が長時間に亘って継続する産業用エンジンのように、エンジンの使用条件が過酷であり、燃焼熱による酸化皮膜(１ｂ)の熱劣化速度が大きい場合や、振動による酸化皮膜(１ｂ)の摩耗速度が大きい場合には、膜厚が１１μｍ以下では酸化皮膜(１ｂ)の耐用寿命が不十分となるおそれがある。他方、膜厚が２０μｍを超えると、酸化皮膜(１ｂ)の処理時間が製造効率上の許容範囲を超える場合や、処理温度が製造設備保護上の許容範囲を超えるおそれがある。
これに対し、四酸化三鉄の酸化皮膜(１ｂ)の膜厚が、１１μｍを超え、２０μｍ以下である場合には、エンジンの使用条件が過酷な場合でも、十分な耐用寿命が得られ、処理時間も製造効率上の許容範囲に収まりやすく、処理温度も製造設備保護上の許容範囲に収まりやすい。
上記と同様の理由により、上記膜厚の下限値を１０μｍとし、膜厚の範囲を１０μｍ〜２０μｍとしてもよい。
【００３３】
上記実施形態では、四酸化三鉄の酸化皮膜(１ｂ)は、表面処理がなされていない排気通路構成部品(１)の表面に形成されているが、表面処理がなされている排気通路構成部品(１)の表面に形成されていてもよい。
例えば、窒化の表面処理によって得られた排気通路構成部品(１)の窒素化合物層の表面に四酸化三鉄の酸化皮膜(１ｂ)が形成されていてもよい。
この場合、次の効果が得られる。
窒素化合物層で受圧面の硬度を高めることができると共に、酸化皮膜(１ｂ)で窒素化合物層の脱窒による軟化が抑制され、締結具(２)の締付力が低下し難い。
【００３４】
上記実施形態では、排気通路構成部品(１)の素材となる鉄系金属には、鋳鉄を用いたが、鋼を用いてもよい。
締結具(２)、座金(２ｄ)、各ガスケット(３ｃ)(４ｄ)(４ｇ)の素材には、鋼が用いられている。
【符号の説明】
【００３５】
(１)…排気通路構成部品、(１ａ)…受圧面、(１ｂ)…酸化皮膜、(１ｃ)…外面、(１ｄ)…内面、(２)…締結具、(３)…排気マニホルド、(４)…過給機、(５)…排気中継管。
【図１】
2020183748.tif 000003
【図２】
2020183748.tif 000004
【図３】
2020183748.tif 000005
【図４】
2020183748.tif 000006
【図５】
2020183748.tif 000007